(57)【要約】      （修正有）【課題】一般人が廃品を持ち込み可能な回収施設において、一般人であっても適切に禁忌品等を分別できる手段を提示する廃品回収施設を提供する。【解決手段】廃品回収施設は、施設の構内に搬入者５が古紙等を種類ごとに分別して置く置き場１２と、当該置き場に廃棄可能な古紙６等を示す表示手段１３と、当該置き場に搬入者が到着したことを感知可能なセンサー７と、当該センサーによる感知と連動して搬入者に古紙等の分別方法を知らせるアナウンス手段１０とで構成した。【選択図】図１
0003165132.tif 000002
【実用新案登録請求の範囲】
【請求項１】
施設の構内に搬入者が古紙等を種類ごとに分別して置く置き場と、当該置き場に廃棄可能な古紙等を示す表示手段と、当該置き場に搬入者が到着したことを感知可能なセンサーと、当該センサーによる感知と連動して搬入者に古紙等の分別方法を知らせるアナウンス手段とを有する廃品回収施設。
【請求項２】
周壁の上部を施設内方向に折曲した請求項１記載の廃品回収施設。 
【請求項３】
侵入者等を感知可能なセンサーと、当該センサーによる感知と連動して侵入者等に警告等を発することが可能な警告手段と、周壁に設けた監視窓とを有する請求項１又は２に記載の廃品回収施設。
【請求項４】
消火手段を有する請求項１乃至３いずれかに記載の廃品回収施設。
【考案の詳細な説明】
【技術分野】
【０００１】
本考案は廃品回収施設、殊に古紙を回収するための廃品回収施設に関する。
【背景技術】
【０００２】
本件出願人は先に、特開２００５−２２５５７２号公報に開示される古紙等の回収施設を提案している。又、特開２００２−２９７８４０号公報において施設の構内に不特定多数の搬入者が古紙等を分別して指定された場所に置く置き場を供えた古紙等の無人回収施設が提示されている。
【特許文献１】特開２００５−２２５５７２号公報
【特許文献２】特開２００２−２９７８４０号公報
【考案の開示】
【考案が解決しようとする課題】
【０００３】
家庭で発生した古紙 は、回収業者による回収、新聞販売ルートでの回収、自治体によ
る行政回収、子ども会等の団体による回収などさまざまなルートで回収が行われている。
【０００４】
回収対象たる古紙のうち古新聞等は上述の新聞販売ルートや子供会等による回収で定期的に回収されることが多い。
【０００５】
一方、古雑誌などは回収業者による回収に頼らざるを得ないことが多い。ところが回収業者による回収業務は、くまなく行われているとは限らず、地域によっては稀にしか行われないこともありうる。そこで一般人が自主的に古紙等を廃棄できる施設として、背景技術において記されているような回収施設が存することとなる。
【０００６】
かような回収施設は回収業者にとっても、回収業務によらずとも廃品の回収が可能となり有用なものといえる。ところが古紙等にはリサイクルに向かない禁忌品、例えば感熱紙、カーボン紙、ノーカーボン紙、糊付ラベルやステッカー、ビニールコート紙等があり、廃棄者たる一般人において適切に分類されることが望まれる。そこで本考案の一つの目的は一般人が廃品を持ち込み可能な回収施設において、一般人であっても適切に禁忌品等を分別できる手段を提示することにある。
【０００７】
又、廃品回収施設においては、付近環境への配慮から古紙等が飛散しないようにする必要がある。殊に付近に住宅が存するような場合には、係る配慮が強く望まれる。そこで本考案の次の目的は、古紙等が飛散しない手段を有する回収施設を提供することにある。
【０００８】
更には廃品の搬入者が回収対象物以外のものを搬入しようとすることを発見警告することが可能な手段を有し、消火手段を有し、営業時間外における不審者の侵入を防止する手段を有する廃品回収施設を提案することを目的とする。
【課題を解決するための手段】
【０００９】
上記課題を解決するために請求項１記載の廃品回収施設は、施設の構内に搬入者が古紙等を種類ごとに分別して置く置き場と、当該置き場に廃棄可能な古紙等を示す表示手段と、当該置き場に搬入者が到着したことを感知可能なセンサーと、当該センサーによる感知と連動して搬入者に古紙等の分別方法を知らせるアナウンス手段とで構成した。
【００１０】
又、請求項２記載の廃品回収施設は、施設を囲んで設けられる周壁の上部を施設内方向に折曲して構成した。  
【００１１】
更には、請求項３記載の廃品回収施設は、侵入者等を感知可能なセンサーと、当該センサーによる感知と連動して侵入者等に警告等を発することが可能な警告手段と、周壁に設けた監視窓とを設けたことを特徴とするものであり、請求項４記載の廃品回収施設は更に消火手段を設けたことを特徴とする。
【考案の効果】
【００１２】
以下、上述のように構成される本考案が如何にして課題を解決するかを概説する。
【００１３】
請求項１記載の考案においては搬入者が古紙等を種類ごとに分別して置く置き場があることから、搬入者は自ら廃品たる古紙等を持ち込んで廃棄することが可能となる。そして当該置き場には廃棄可能な古紙等を示す表示手段、例えば看板等を用いて、ある置き場には古新聞を、他の置き場にはダンボールを、別の置き場には古着をというふうに当該置き場に廃棄可能な廃品が表示される。
【００１４】
これにより搬入者は容易に廃棄場所を知ることが可能となるのである。
【００１５】
更には本考案においては、置き場に搬入者が到着したことを感知可能なセンサーが設けられており、しかも当該センサーによる感知と連動して搬入者に古紙等の分別方法を知らせるアナウンス手段をも有するものである。つまりは置き場に搬入者が至ると、搬入者に対して当該置き場に廃棄可能な廃品の種類や禁忌品に関するアドバイスをすることが可能となるのである。つまりは一般人であっても適切に禁忌品等を分別可能となるのである。
【００１６】
請求項２記載の廃品回収施設は、施設を囲んで設けられる周壁の上部を施設内方向に折曲して構成してある。周囲を囲む形状で周壁を設けると、施設内で風が周壁に沿って吹き上ることが多々ある。そして、かかる風の作用により古紙等が舞い上がり飛散することになるのである。
【００１７】
ところが本考案においては周壁の上部を施設内方向に折曲してあるので、当該折曲部位に、舞い上がった古紙等が衝突しそれ以上舞い上がることが防止される。つまりは古紙等は施設内に落下することになるのである。かようにして本考案によれば古紙等が飛散しない手段を有する回収施設を提供することが可能となるのである。
【００１８】
請求項３記載の廃品回収施設は、侵入者等を感知可能なセンサーと、当該センサーによる感知と連動して侵入者等に警告等を発することが可能な警告手段と、周壁に設けた監視窓とを有する。これにより、例えば古雑誌等の盗難やあるいは放火等の危険を可及的に防止することが可能となるのである。
【００１９】
更には請求項４記載の考案においては消火器やスプリンクラーといった消火手段が備えられていることから、不慮の火災時における消火活動が可能となるのである。
【００２０】
以上のようにして本考案によれば一般人が家庭で生じる古紙等の廃品を、自家用車等で気軽に搬入し容易に適切な分別をなしえ、しかも不審者等の侵入は抑制できる廃品回収施設を提供することが可能となるのである。
【考案を実施するための最良の形態】
【００２１】
以下、好ましい考案の一実施形態につき図面を参照しながら詳説する。
【００２２】
図１は本考案に基づく廃品回収施設の概略構成を模式的に示す平面図であり、図２は周壁の態様を模式的に示す断面図である。
【００２３】
施設１の周囲は鉄材製の周壁２で囲まれている。周壁２の道路に面する位置に出入り口３を設け、自動車５の入車・出車を可能となす。出入り口３には門扉４を設け、夜間等には進入を禁ずることを可能とする。
【００２４】
古紙等６を積載した自動車５が構内へ入場するとき又は古紙等６を置いて退場するときの様子を、出入り口３の近傍に設けた第１センサー７で捕捉すると共に、第１センサー７と連動したで監視カメラ９で確認・録画する。監視カメラ９は出入り口３の近傍に立設したポール８に取り付けられるものである。この際、動向が不審な入場者に対してはポール８に取り付けたスピーカ１０や警告灯１１といった警告手段により警告を発することが可能となしてある。
【００２５】
出入り口３から自動車５を利用して古紙等６を搬入した利用者が、多品種に及ぶ古紙等６を搬入者自身が分別して置くことができる屋根付きの置場１２を構内の奥部に設ける。この置き場１２は一旦停車した自動車５を再度移動させる必要がない近接した範囲内に区画して設けることが好ましい。種類の異なる古紙等６を適切な位置に廃棄できるように解説した表示手段たる案内板１３を搬入者が見易い位置に取り付ける。置場１２の天井には消火手段たるスプリンクラー１４が設けてあり、熱や煙等に感応して自動消火が行われるものである。
【００２６】
搬入者が古紙等６以外の廃品等を持ち込まないよう注意する説明板１５を入場直後の搬入者が気付く位置に取り付けると共に、積載した古紙等６を降ろし、置場１２へ持ち込もうとする状況を第２センサー１６で捕捉し、第２センサー１６の感知で作動する監視カメラ９で確認・録画する。
【００２７】
又、適切な分類の仕方や禁忌品は廃棄しないよう音声で注意するアナウンス手段たるスピーカ１０を、置場１２付近の適所に立設したポール８に取り付けている。不法投棄をなそうとする者に対しては、スピーカー１０や警告灯１１により警告を発することも可能である。警告灯１１、監視カメラ９はポール８に取り付けるものである。上述の各種センサーや監視カメラ、スピーカー、警告灯は構内に設けられているコンピュータールーム１７内の制御機器で管理されている。
【００２８】
周壁２の上部は図２に示すように折曲され、飛散防止部２ａが形成されている。一方、周壁２の適所に構内を外部から覗見できるように監視窓２ｂを数箇所設ける。窓２ｂは外部からの侵入を防ぐため金網入りのものにすることが好ましい。
【００２９】
不時の火災発生に備えて消火手段たる消火器１８が複数配置している。
【００３０】
置場１２に集積された各品種毎の古紙等６を、古紙回収業者が収集して処理場へ持ち込むのである。尚、本願考案は古紙等について詳述しているが、古紙等に限定されず不要な布製品や、空き缶、空き瓶等のリサイクル可能な廃品類の収集にも活用できる。
【産業上の利用可能性】
【００３１】
再生紙の資源となる古紙等のリサイクルを、従来のようにチリ紙交換業者がトラックで戸別に古紙等を収集し回わる手間や、不定期な収集のため市民等が困惑していること、或は地方公共団体から委託された古紙回収業者が、予め決められた日時、置場に各戸から搬入した古紙等を収集し回るという手間のかかる現況を省き、市民等の自主的な持ち込みと、しかも分別収集というセルフ方式並びにドライブスルー様の利便さを特徴とするため、産業上の利用可能性は極めて高い。
【図面の簡単な説明】
【００３２】
【図１】本考案に基づく廃品回収施設の概略構成を模式的に示す平面図。
【図２】周壁の態様を模式的に示す断面図。
【符号の説明】
【００３３】
２・・周壁
２ａ・・飛散防止部
２ｂ・・監視窓
７，１６・・センサー
１２・・置き場
１４・・スプリンクラー
１８・・消火器
【図１】
0003165132.tif 000003
【図２】
0003165132.tif 000004